(57)【要約】【課題】  マイクロホンユニットが交換可能であるコンデンサマイクロホンにおいて、マイクロホンユニットとの良好な電気的接続を確保する。【解決手段】  振動板と固定極１３ｂとをスペーサを介して対向的に配置してなり、固定極１３ｂに電極引出ロッド１７が電気的に接続されている静電型変換器１３を有するマイクロホンユニット１０と、電極引出ロッド１７に対し導電接触手段を介して電気的に接続されるインピーダンス変換器２３を含むパワーモジュール部２０とを備え、マイクロホンユニット１０が所定の連結手段を介してパワーモジュール部２０に着脱可能に連結されるコンデンサマイクロホンにおいて、上記導電接触手段として、電極引出ロッド１７の端面に対して面的に多点でかつ弾性的に接触する導電弾性材３１を用いる。【選択図】  図１
2007028027.tif 000002
【特許請求の範囲】
【請求項１】
振動板と固定極とをスペーサを介して対向的に配置してなり、上記固定極に電極引出ロッドが電気的に接続されている静電型変換器を有するマイクロホンユニットと、上記電極引出ロッドに対し導電接触手段を介して電気的に接続されるインピーダンス変換器を含むパワーモジュール部とを備え、上記マイクロホンユニットが所定の連結手段を介して上記パワーモジュール部に着脱可能に連結されるコンデンサマイクロホンにおいて、
上記導電接触手段として、上記電極引出ロッドの端面に対して面的に多点でかつ弾性的に接触する導電弾性材を用いることを特徴とするコンデンサマイクロホン。
【請求項２】
上記導電弾性材が、厚み方向および面方向ともに導電性を有する樹脂発泡体からなることを特徴とする請求項１に記載のコンデンサマイクロホン。
【請求項３】
上記導電弾性材が、金属繊維の織物からなることを特徴とする請求項１に記載のコンデンサマイクロホン。
【請求項４】
上記導電弾性材が、板バネに支持されていることを特徴とする請求項１，２または３に記載のコンデンサマイクロホン。
【発明の詳細な説明】
【技術分野】
【０００１】
本発明は、所望とする指向性に応じてマイクロホンユニットを交換することができるコンデンサマイクロホンに関し、さらに詳しく言えば、マイクロホンユニットの交換時において、マイクロホンユニットとの良好な電気的接続を確保できる導電接触手段を有するコンデンサマイクロホンに関するもである。
【背景技術】
【０００２】
コンデンサマイクロホンは、振動板と固定極とをスペーサを介して対向的に配置してなる静電型変換器をユニットとして備えるため、例えばダイナミック型のマイクロホンユニットに比べて、そのユニットを比較的容易に交換することができる。
【０００３】
このことから、コンデンサマイクロホン，とりわけ衣服に着用して使用されるいわゆるタイピン型のコンデンサマイクロホンでは、カージオイド，ハイパーカージオイド，無指向性，狭指向性などの指向性の異なるマイクロホンユニットが各種用意され、収音目的に応じて好ましい指向性を有するマイクロホンユニットが選択され、パワーモジュール部と組み合わせて使用される。
【０００４】
コンデンサマイクロホンでは、静電型変換器のインピーダンスがきわめて高いため、ＦＥＴ（電界効果トランジスタ）などのインピーダンス変換器が用いられるが、通常、インピーダンス変換器はパワーモジュール部側に設けられ、マイクロホンユニットをパワーモジュール部に取り付ける際、そのユニット内の静電型変換器とインピーダンス変換器とが導電接触手段を介して電気的に接続される。
【０００５】
その従来例を図３，図４により説明する。図３はマイクロホンユニット１０とパワーモジュール部２０とを分離して示す断面図で、図４はその組立状態を示す断面図である。この従来例において、マイクロホンユニット１０は単一指向性ユニットで、ユニット筐体として、前部音響端子１１ａを有する円筒状の外部筐体１１と、後部音響端子１２ａを有し外部筐体１１内に挿嵌される円筒状の内部筐体１２とを備える。
【０００６】
内部筐体１２内には、静電型変換器１３が収納される。この静電型変換器１３は、ダイアフラムリング１３ａに張設された振動板と、固定極１３ｂとをスペーサを介して対向的に配置することにより構成されるが、振動板はきわめて薄い薄膜フィルムで、また、スペーサも肉厚が薄いリング体よりなるため、作図の都合上、その図示を省略している。
【０００７】
固定極１３ｂは、電気絶縁性の台座１４に支持された状態で静電型変換器１３内に組み込まれ、静電型変換器１３は、台座１４の背面側に押し付けられるロックリング１６によって内部筐体１２内に強固に固定される。
【０００８】
固定極１３ｂは多孔板よりなり、台座１４には後部音響端子１２ａからの音波を図示しない振動板の背面側に導くための音孔１４ａが穿設されている。また、台座１４の中央部には外周面に雄ネジを有する円筒部１４ｂが形成されており、円筒部１４ｂには、電極引出ロッド１７が嵌合されている。電極引出ロッド１７は、図示しない配線を介して固定極１３ｂと電気的に接続される。
【０００９】
台座１４の背面側には、フェルト材やメッシュ材などの音響抵抗材１５が音孔１４ａを覆うように配置される。音響抵抗材１５は、上記円筒部１４ｂの雄ネジに螺合するナット１６により、その圧縮度が適宜調整可能である。内部筐体１２の開口端側の内周面には、パワーモジュール部２０に連結するための雌ネジ１２ｂが形成されている。
【００１０】
パワーモジュール部２０は、例えば黄銅合金よりなる円筒状の筐体２１を備え、その一端側（後端側）の開口部２１ａから図示しないマイクケーブルが筐体２１内に引き込まれる。筐体２１の他端側（前端側）には回路基板２２が配置され、固定リング２６により固定される。固定リング２６の外周面には、マイクロホンユニット１０側の上記雌ネジ１２ｂの相手となる雄ネジ２６ａが形成されている。
【００１１】
回路基板２２の一方の面（裏面）には、インピーダンス変換器としてのＦＥＴ（電界効果トランジスタ）２３が実装されている。回路基板２２の他方の面（表面）には、板バネ２４が配置されている。板バネ２４は、ほぼコ字状に折り曲げられ、内部にゴムなどの保形用の弾性ブロック２５を抱き込んだ状態で、保持リング２７により回路基板２２に取り付けられる。
【００１２】
板バネ２４の基部２４ａは、弾性ブロック２５により回路基板２２に押さえられ、回路基板２２に形成されている図示しないスルーホール配線などを介してＦＥＴ２３のゲート極と接続される。板バネ２４の自由端側の舌片２４ｂは、上記電極引出ロッド１７に対して弾性的に接触するように所定の角度をもって起き上がらされている。
【発明の開示】
【発明が解決しようとする課題】
【００１３】
このコンデンサマイクロホンは、上記した雌ネジ１２ｂを雄ネジ２６ａに螺合させることにより、図４に示すように、マイクロホンユニット１０がパワーモジュール部２０と連結され、これに伴って、板バネ２４の舌片２４ｂが電極引出ロッド１７に接触することにより、固定極１３ｂがＦＥＴ２３のゲート極と電気的に接続され、コンデンサマイクロホンとして機能する、しかしながら、上記従来例によると次のような問題がある。
【００１４】
すなわち、板バネ２４は電極引出ロッド１７の接点となるため、接触不良による雑音を防止するうえで金めっきを施す必要がありコストアップとなる。また、マイクロホンを振動させたり、衝撃が加えられると、板バネ２４が振動する。接点部分はインピーダンスが高いため、わずかな振動でも雑音として出力されることがある。
【００１５】
また、図４に示すように、電極引出ロッド１７の端面に対して板バネ２４の舌片２４ｂが斜めに接触し、実質的な接点は電極引出ロッド１７の端面の角の１点のみとなる。したがって、その接点部分が皮脂などで汚れていると接触不良を起こしやすい。この種の接触不良が発生すると、電気的断続によるバリバリという雑音や、シャーという抵抗性雑音が多発する。
【００１６】
さらには、板バネ２４の舌片２４ｂが手に触れやすいため、マイクロホンユニット１０を交換する際、誤って舌片２４ｂが引き起こされ、そのままの状態でマイクロホンユニット１０が連結されると、舌片２４ｂが押し潰されてしまう。このような事故は、特に暗い場所でマイクロホンユニット１０を交換する際に起こる。
【００１７】
したがって、本発明の課題は、マイクロホンユニットがパワーモジュール部に対して交換可能であるコンデンサマイクロホンにおいて、マイクロホンユニットとの良好な電気的接続を確保できる導電接触手段を有するコンデンサマイクロホンを提供することにある。
【課題を解決するための手段】
【００１８】
上記課題を解決するため、本発明は、振動板と固定極とをスペーサを介して対向的に配置してなり、上記固定極に電極引出ロッドが電気的に接続されている静電型変換器を有するマイクロホンユニットと、上記電極引出ロッドに対し導電接触手段を介して電気的に接続されるインピーダンス変換器を含むパワーモジュール部とを備え、上記マイクロホンユニットが所定の連結手段を介して上記パワーモジュール部に着脱可能に連結されるコンデンサマイクロホンにおいて、上記導電接触手段として、上記電極引出ロッドの端面に対して面的に多点でかつ弾性的に接触する導電弾性材を用いることを特徴としている。
【００１９】
本発明において、上記導電弾性材は厚み方向および面方向ともに導電性を有する樹脂発泡体であることが好ましいが、金属繊維の織物（導電布）であってもよい。また、上記導電弾性材は板バネによって支持されてもよく、このような態様も本発明に含まれる。
【発明の効果】
【００２０】
本発明によれば、マイクロホンユニットをパワーモジュール部に連結する際、電極引出ロッドとインピーダンス変換器とを接続する導電接触手段として、厚み方向および面方向ともに導電性を有する樹脂発泡体や金属繊維の織物（導電布）などからなる導電弾性材を用いることにより、導電弾性材が電極引出ロッドの端面に対して面的に多点でかつ弾性的に接触するため、接触不良を確実に回避することができる。また、仮に電極引出ロッドの端面が皮脂などにより汚れていても、その汚れが導電弾性材により払拭されるため、接点は良好な状態に保たれる。
【発明を実施するための最良の形態】
【００２１】
次に、図１および図２により、本発明の実施形態について説明する。図１はマイクロホンユニットとパワーモジュール部とを分離して示す断面図で、図２はその組立状態を示す断面図である。以下に説明する実施形態において、上記従来例と特に変更を要しない構成要素には同じ参照符号を用いる。
【００２２】
図１に示すように、本発明によるコンデンサマイクロホンは、マイクロホンユニット１０と、パワーモジュール部２０とを備え、所望とする指向性に応じて、マイクロホンユニット１０を交換することができる。
【００２３】
この例において、マイクロホンユニット１０は単一指向性ユニットであるが、無指向性や狭指向性などのユニットであってもよい。マイクロホンユニット１０は、そのユニット筐体として、前部音響端子１１ａを有する円筒状の外部筐体１１と、後部音響端子１２ａを有し外部筐体１１内に挿嵌される円筒状の内部筐体１２とを備える。
【００２４】
内部筐体１２内には、振動板と固定極とを含む静電型変換器１３が収納される。すなわち、静電型変換器１３は、ダイアフラムリング１３ａに張設された振動板と、固定極１３ｂとをスペーサを介して対向的に配置することにより構成されるが、振動板はきわめて薄い薄膜フィルムで、また、スペーサも肉厚が薄いリング体よりなるため、作図の都合上、振動板とスペーサはその図示を省略している。
【００２５】
固定極１３ｂは、電気絶縁性の台座１４に支持された状態で静電型変換器１３内に組み込まれ、静電型変換器１３は、台座１４の背面側に押し付けられるロックリング１６によって内部筐体１２内に強固に固定される。
【００２６】
固定極１３ｂは多孔板よりなり、台座１４には後部音響端子１２ａからの音波を図示しない振動板の背面側に導くための音孔１４ａが穿設されている。固定極１３ｂにエレクトレット材が適用されてもよい。また、台座１４の中央部には、外周面に雄ネジを有する円筒部１４ｂが一体に形成されており、円筒部１４ｂには、電極引出ロッド１７が嵌合されている。電極引出ロッド１７は、図示しない配線を介して固定極１３ｂと電気的に接続される。
【００２７】
台座１４の背面側には、フェルト材やメッシュ材などの音響抵抗材１５が音孔１４ａを覆うように配置される。音響抵抗材１５は、上記円筒部１４ｂの雄ネジに螺合するナット１６により、その圧縮度が適宜調整可能である。内部筐体１２の開口端側の内周面には、パワーモジュール部２０に連結するための雌ネジ１２ｂが形成されている。
【００２８】
パワーモジュール部２０は、マイクロホン本体もしくは音声信号出力部などと呼ばれることもある。このパワーモジュール部２０は、例えば黄銅合金よりなる円筒状の筐体２１を備え、その一端側（後端側）の開口部２１ａから図示しないマイクケーブルが筐体２１内に引き込まれる。
【００２９】
筐体２１の他端側（前端側）には回路基板２２が配置され、回路基板２２は固定リング２６により筐体２１に固定される。固定リング２６の外周面には、マイクロホンユニット１０側の上記雌ネジ１２ｂの相手となる雄ネジ２６ａが形成されている。
【００３０】
回路基板２２の一方の面（裏面）には、インピーダンス変換器としてのＦＥＴ（電界効果トランジスタ）２３が実装されている。なお、希にではあるが、インピーダンス変換器として真空管が用いられることもある。
【００３１】
回路基板２２の他方の面（表面）には、上記電極引出ロッド１７とＦＥＴ２３とを電気的に接続するための導電接触手段が設けられるが、本発明では、その導電接触手段として、電極引出ロッド１７の端面に対して面的に多点でかつ弾性的に接触する導電弾性材３１を用いる。
【００３２】
この種の導電弾性材３１には、例えばセーレン社製の厚み方向および面方向ともに導電性を有する樹脂発泡体からなるＣＯＮＤＵＣＴＩＶＥ  ＦＯＡＭ品番Ｓｕｉ−７８−５０２０Ｔ（特許第３３０６６６５号参照）がある。また、導電弾性材３１は、導電布と称される金属繊維の織物であってもよい。
【００３３】
導電弾性材３１は適当な大きさのブロックに形成され、保持リング３２を介して回路基板２２に取り付けられる。この例では、保持リング３２は回路基板２２とともに固定リング２６にて筐体２１に固定される。導電弾性材３１は、回路基板２２に形成されている図示しないスルーホール配線などを介してＦＥＴ２３のゲート極と接続される。
【００３４】
このコンデンサマイクロホンは、上記した雌ネジ１２ｂを雄ネジ２６ａに螺合させることにより、図２に示すように、マイクロホンユニット１０がパワーモジュール部２０と連結され、これに伴って、導電弾性材３１が電極引出ロッド１７に接触することにより、固定極１３ｂがＦＥＴ２３のゲート極と電気的に接続され、コンデンサマイクロホンとして機能する。
【００３５】
導電弾性材３１によれば、電極引出ロッド１７の端面に面的に接触するため、従来の板バネと異なり、接触不良を回避することができる。仮に電極引出ロッド１７の端面が皮脂などにより汚れていても、マイクロホンユニット１０を回してパワーモジュール部２０に連結する際、電極引出ロッド１７が回転しながら導電弾性材３１に接触するため、その汚れが落とされる。
【００３６】
また、外部よりマイクロホンに振動や衝撃が加えられたとしても、常に接点部分が安定しているため、電気的断続によるバリバリという雑音や、シャーという抵抗性雑音が発生することもない。さらには、板バネの舌片ような突起物がないため、ユニット交換時に不用意に導電弾性材３１が壊されることもない。
【００３７】
以上、図１および図２の実施形態により本発明を説明したが、本発明はこれに限定されるものではない。例えば、導電弾性材３１を保持リング３２により回路基板２２に固定する際に導電性接着材を併用してもよく、場合によっては、導電性接着材のみを用いてもよい。また、上記従来例で説明した板バネ２４の舌片２４ｂに導電弾性材３１を設けることもできる。また、マイクロホンユニット１０とパワーモジュール部２０の連結手段は、ネジによる螺合ではなく、単なる雌雄嵌合であってもよい。
【図面の簡単な説明】
【００３８】
【図１】本発明のコンデンサマイクロホンに含まれるマイクロホンユニットとパワーモジュール部とを分離して示す断面図。
【図２】本発明のコンデンサマイクロホンの組立状態を示す断面図。
【図３】従来のコンデンサマイクロホンに含まれるマイクロホンユニットとパワーモジュール部とを分離して示す断面図。
【図４】従来のコンデンサマイクロホンの組立状態を示す断面図。
【符号の説明】
【００３９】
１０  マイクロホンユニット
１３  静電型変換器
１３ｂ  固定極
１４  台座
１７  電極引出ロッド
２０  パワーモジュール部
２２  回路基板
２３  インピーダンス変換器（ＦＥＴ）
３１  導電弾性材
【図１】
2007028027.tif 000003
【図２】
2007028027.tif 000004
【図３】
2007028027.tif 000005
【図４】
2007028027.tif 000006